(57)【要約】      （修正有）【課題】土台、床面、壁面、天井等の構造素材が柔軟性を有する状態のときに埋め込んで、固化後に、構造素材表面から突出するボルト頭部を位置調整して他の構造物を支持することができる粘土、プラスチック、モルタル、コンクリート等の構造素材に適用して便利な構造物等の設置位置調整具の提供。【解決手段】コンクリート等２０に埋設される支持部材１に、ナット部２を一体に設けると共に、ナット部２に螺合するボルト部３が自在に挿通する空間４ａをコンクリート等２０内に形成する中空筒部４を一体に設け、前記ナット部２から突出するボルト部３によって構造物３０を位置決め調整可能に支持するようにした構造物等の設置位置調整具。【選択図】図２
0003118402.tif 000002
【実用新案登録請求の範囲】
【請求項１】
コンクリート等に埋設される支持部材に、少なくとも頂部がコンクリート等上に開口する開口部を有するナット部を一体に設けると共に、ナット部に螺合するボルト部が自在に挿通する空間をコンクリート等内に形成する中空筒部を一体に設け、前記ナット部の開口部から外側に突出するボルト部によって構造物を位置決め調整可能に支持するようにした構造物等の設置位置調整具。
【請求項２】
請求項１に記載の構造物等の設置位置調整具において、支持部材に直接に施したねじ孔をナット部のねじ部とし、ねじ孔と連通して頂部がコンクリート等上に開口する筒部をナット部の開口部とすると共に、開口部の反対側にねじ孔に連通して中空筒部を設けてなる構造物等の設置位置調整具。
【請求項３】
請求項１又は２に記載の構造物等の設置位置調整具において、支持部材の表面側、裏面側又は両面側に突出してナット部を設け、表面側にナット部の開口部を設けると共に、裏面側に中空筒部を設けてなる構造物等の設置位置調整具。
【請求項４】
請求項１、２又は３に記載の構造物等の設置位置調整具において、３個以上の埋込位置決め調整具をコンクリート等に埋設し、３個以上のボルト部の頂部によって構造物を位置決め調整可能に支持するようにした構造物等の設置位置調整具。
【考案の詳細な説明】
【技術分野】
【０００１】
本考案は、土台、床面、壁面、天井等の構造素材が柔軟性を有する状態のときに埋め込んで、固化後に、構造素材表面から突出するボルト頭部を位置調整して他の構造物を支持することができる粘土、プラスチック、モルタル、コンクリート等の構造素材に適用して便利な構造物等の設置位置調整具に関する。
【背景技術】
【０００２】
従来、構造物の設置は、基礎コンクリート上にモルタルを敷くだけの方法と、基礎コンクリート上にライナーと呼ばれるプラスチック、金属、木製等の厚さの異なるプレートを複数枚重ねることによる位置調整を行ってきた。
【考案の開示】
【考案が解決しようとする課題】
【０００３】
しかし、第１にモルタルを敷くだけの方法の場合、構造物を設置した際、その自重による沈下が発生し、位置調整と設置の作業を繰り返さなければならないため多くの時間と労力を必要とする課題があった。
第２のライナーを使用する方法の場合、複数のプレートを重ねて置くため、安定性に欠け、コンクリート等に固定する必要があり、また、複数の厚さの異なるプレートを組み合わせるため、必要とする正確な厚みが得にくく、多くの時間と手間がかかると共に、組み合わせ後の微調整が難しく、精度に関しても大きな課題があった。
【課題を解決するための手段】
【０００４】
そこで、本考案は、請求項１に記載のように、コンクリート等に埋設される支持部材に、少なくとも頂部がコンクリート等上に開口する開口部を有するナット部を一体に設けると共に、ナット部に螺合するボルト部が自在に挿通する空間をコンクリート等内に形成する中空筒部を一体に設け、前記ナット部の開口部から外側に突出するボルト部によって構造物を位置決め調整可能に支持するようにした構造物等の設置位置調整具を提供しようとするものである。
【０００５】
また、本考案は、請求項２に記載のように、請求項１に記載の構造物等の設置位置調整具において、支持部材に直接に施したねじ孔をナット部のねじ部とし、ねじ孔と連通して頂部がコンクリート等上に開口する筒部をナット部の開口部とすると共に、開口部の反対側にねじ孔に連通して中空筒部を設けてなる構造物等の設置位置調整具を提供しようとするものである。
【０００６】
また、本考案は、請求項３に記載のように、請求項１又は２に記載の構造物等の設置位置調整具において、支持部材の表面側、裏面側又は両面側に突出してナット部を設け、表面側にナット部の開口部を設けると共に、裏面側に中空筒部を設けてなる構造物等の設置位置調整具を提供しようとするものである。
【０００７】
また、本考案は、請求項４に記載のように、請求項１、２又は３に記載の構造物等の設置位置調整具において、３個以上の埋込位置決め調整具をコンクリート等に埋設し、３個以上のボルト部の頂部によって構造物を位置決め調整可能に支持するようにした構造物等の設置位置調整具を提供しようとするものである。
【考案の効果】
【０００８】
本考案に係る構造物等の設置位置調整具によれば、請求項１に記載のように、コンクリート等に埋設される支持部材に、少なくとも頂部がコンクリート等上に開口する開口部を有するナット部を一体に設けると共に、ナット部に螺合するボルト部が自在に挿通する空間をコンクリート等内に形成する中空筒部を一体に設け、前記ナット部の開口部から外側に突出するボルト部によって構造物を位置決め調整可能に支持するようにした構成を有することにより、コンクリート等の打設時に本考案調整具を埋込設置することだけによって、コンクリート等に開口する開口部からナット部に螺合したボルト部をコンクリート等内の中空筒部の空間内を自在に挿通して円滑に移動調整することができ、作業時間短縮に大きな効果があるのみならず、開口部から外側に突出するボルト部の突出高さを高精度に自在に位置決め調整して構造物を高い施工精度で支持することができる効果があると共に、埋設された支持部材と中空筒部はコンクリート等の固化後にベースと一体化され、上下及び左右の力に対して強固な安定した状態で一体に支持されているから、構造物を強固に安定した状態に保持することができる効果がある。
【０００９】
また、本考案は、請求項２に記載のように、請求項１に記載の構造物等の設置位置調整具において、支持部材に直接に施したねじ孔をナット部のねじ部とし、ねじ孔と連通して頂部がコンクリート等上に開口する筒部をナット部の開口部とすると共に、開口部の反対側にねじ孔に連通して中空筒部を設けてなる構成を有することにより、別体に製作したナットを支持部材に一体に固定することによってナット部を設けることなく、支持部材に直接に設けたねじ孔によってナット部を構成することができる一方、ねじ孔と連通して頂部がコンクリート等上に開口する筒部をナット部の開口部とすることによって、開口部からボルト部を突出してナット部に螺合することができると共に、開口部の反対側にねじ孔に連通して設けた中空筒部によりボルト部を自在に挿通することができる効果がある。
【００１０】
また、本考案は、請求項３に記載のように、請求項１又は２に記載の構造物等の設置位置調整具において、支持部材の表面側、裏面側又は両面側に突出してナット部を設け、表面側にナット部の開口部を設けると共に裏面側に中空筒部を設けてなる構成を有することにより、埋め込まれる支持部材の表面側、裏面側又は両側にナット部を設計自在に設けて、ナット部に螺合したボルト部により位置決め調整することができる効果がある。
【００１１】
また、本考案は、請求項４に記載のように、請求項１、２又は３に記載の構造物等の設置位置調整具において、３個以上の埋込位置決め調整具をコンクリート等に埋設し、３個以上のボルト部によって構造物を位置決め調整可能に支持するようにした構成を有することにより、構造物を３個以上のボルト部による３点以上の支持によって位置決めして確実に支持することができる効果がある。
【考案を実施するための最良の形態】
【００１２】
図示の実施例において、本考案に係る構造物等の設置位置調整具１０は、コンクリート等２０に埋設される支持部材１に、少なくとも頂部２ａがコンクリート等２０上に開口する開口部２ｂを有するナット部２を一体に設けると共に、ナット部２に螺合するボルト部３が自在に挿通する空間４ａをコンクリート等２０内に形成する中空筒部４を一体に設け、前記ナット部２の開口部２ｂから外側に突出するボルト部３によって構造物３０を位置決め調整可能に支持するようにした構成を有する。
【実施例１】
【００１３】
コンクリート等２０は、打設時に本考案調整具１０を埋め込むことができる流動性又は柔軟性を有すると共に、固化後に設置位置を維持することが可能な粘土、プラスチック、モルタル、コンクリート等の構造素材からなる。
【実施例２】
【００１４】
また、支持部材１は、一体に設けたナット部２及び中空筒部４を打設時及び固化時に安定した状態に維持することができるように、ナット部２又は中空筒部４に放射状に張り出す構造で設けてあれば良く、実施例の板状の他に、枝状、羽状、網状、翼状、渦巻き状、稲妻状等の形態に設けることができる。
【実施例３】
【００１５】
板状の支持部材１としては、図示の平板な正四角形の板の他に、波板や盆板状や皿板状や、表面に抜け止めの突起や孔のある板でも良く、形状も長方形状、菱形状、又は、種々の三角形状、多角形状、星形状状、円形状、楕円形状、又は裾の広がった円錐形状でも良い。
また、枝状、羽状、網状、翼状、渦巻き状等の形態のものでは、同一平面上に設けたものの他に、交互に又は適宜に突出方向が異なるもの、突出長さが異なるもの、太さや幅が異なるもの、Ｕ字状に反ったもの等を適宜に単独又は組み合わせて実施することができる。
また、図示の実施例の支持部材１は１段に設けてあるが、必要に応じてナット部２又は中空筒部４に２段以上に設けることができる。また、この場合、支持部材１は、異なる形状のもの、大きさの異なるものを適宜組み合わせることが可能である。
【００１６】
また、支持部材１のほぼ中央には、実施例１の場合、ボルト部３のねじ軸部３ａが挿通可能な大きさの挿通孔１ａが設けてあり、その上側にナット部２が一体に設けてあると共に、下側に中空筒部４が一体に設けてある。
ナット部２は、実施例１の場合、別体に製作したナット部２を支持部材１の上面に溶接等により一体に固設してあり、ナット部２の開口がそのままナット部２の開口部２ｂを構成するものとなっている。
即ち、図２に記載の如く、ナット部２の頂部２ａが開口と共にコンクリート等２０上に露出するように設置されるように構成してある。
【実施例４】
【００１７】
ナット部２の外周形状は、実施例の場合、周知の六角ナット形状であるが、その他に円筒形状のナット部であっても良い。即ち、本考案のナット部２としては、外周形状に特徴があるのではなく、少なくともナット部２の内周孔部の一部又は全部にボルト部３の螺合するねじ部２ｃが設けてあればよい。
【００１８】
図２の実施例のおいて、５は補助ナットで、ボルト部３のねじ軸部３ａに予めねじ込んで、ボルト部３の位置決め後に補助ナット５をナット部２の頂部２ａに圧着するように締め付けて、ボルト軸部３ａとナット部２のねじ部２ｃを強固に圧着して緩み無く固定することができるように構成してある。
従って、打設時の埋込前にボルト部３の突出位置が決定しているような場合には、補助ナット５をナット部２に締め付けた状態で本考案調整具１０を補助ナット５の高さまでコンクリート等２０内に埋め込んで設置することができ、その場合、補助ナット５がナット部２の開口部２ｂとみなすことができる。
【実施例５】
【００１９】
また、支持部材１の表面側の他に、裏面側又は両面側に突出してナット部２を設け、表面側にナット部２に連続する筒部からなる開口部を設けると共に裏面側に中空筒部４を設けてなる構成にすることができる。両側にナット部２を設ける形態としては、文字通りに２個のナット部２を支持部材１の両側に設ける場合だけではなく、１個のナット部２を支持部材１の挿通孔１ａ部分に埋め込む形態でも良い。
このように、埋め込まれる支持部材１の表面側、裏面側又は両側にナット部２を設計自在に設けて、ナット部２に螺合したボルト部３により適宜に位置決め調整することができる。
【実施例６】
【００２０】
ナット部２としては、図示の実施例の他に、支持部材１の挿通孔１ａ部分に直接にねじ溝を切ってねじ孔としてナット部２を構成することができる。
この場合、支持部材１のねじ孔部分の板厚をナット部２と同等の強度を持つように大きく設定することができる。
また、ねじ孔と連通して頂部がコンクリート等２０上に開口する筒部を一体に設けて、ナット部２の開口部とすると共に、開口部の反対側にねじ孔に連通して中空筒部４を設けて、別体に製作したナットを支持部材１に一体に固定することによってナット部２を構成することなく、支持部材１に直接に設けたねじ孔によってナット部２を構成することができる。
この結果、ねじ孔と連通して頂部がコンクリート等２０上に開口する筒部をナット部２の開口部とすることによって、開口部からボルト部３をナット部２としてのねじ孔に螺合することができると共に、開口部の反対側にねじ孔に連通して設けた中空筒部４によりボルト軸部３ａを自在に挿通することができる。
【実施例７】
【００２１】
次いで、中空筒部４の形状は、円筒状の他に、角パイプ状であっても良い。また、図示の実施例では、中空筒部４には底板部４ｂが設けてあるが、埋込時にコンクリート等２０がボルト軸部３ａの挿通する空間４ａに入り込む恐れがない場合には、底板部４ｂは不要である。
即ち、中空筒部４には底板部４ｂが設けてあるれば、ボルト軸部３ａが挿通する空間４ａを必要十分な大きさで確実に確保することができる効果があり、底板部４ｂの外周付近に前記支持部材１を設けることも確実に可能であるが、中空筒部４が埋込時にコンクリート等２０が、その粘度又は流度の関係等で空間４ａのボルト軸部３ａの挿通域に入り込む恐れがない十分な長さを有する場合には、底板部４ｂは不要である。
【実施例８】
【００２２】
また、図示の実施例の場合、本考案調整具１０は全体を金属製で製作することもできるが、支持部材１及び中空筒部４は合成樹脂により一体成形加工により容易に製作可能であり、また、ナット部２及びボルト部３も合成樹脂製のものを使用可能である。特に中空筒部４はコンクリート等２０を排除するだけであるから強度的に合成樹脂製で十分である。なお、支持部材１、中空筒部４等を合成樹脂製にする場合には、支持部材としての弾性変形による弾性強度を期待することができる。
【００２３】
次に、ボルト部３は、図示の実施例の場合、頭部３ｂに回転調整用の従来周知の六角ボルト頭部を設けてあるが、頭部３ｂの頂部に更に円頭状、円錐状の支持頂部を突設して、構造物３０を正確に支持することができる。
なお、図３及び図４において、本考案調整具１０はコンクリート等２０の４個所に埋め込んで設置してあり、４個のボルト部３によって構造物３０の高さを位置決め調整して支持位置を決定し、モルタル等の充填材２２を充填して構造物３０をコンクリート等２０の表面２１から所定の高さに位置決めして設置することができるように構成してある。
なお、本考案調整具１０を、必要に応じて５個以上に配置することも可能であると共に、３個を平面上で３角形の頂点となるように設置して、建造物３０を三点支持によりコンクリート等２０の表面２１から所定の位置に位置決めして設置することができることも勿論である。
【００２４】
また、ボルト部３は図示の頭部３ｂの上方に更にボルト軸部を連続して設け、ボルト軸部にナット等により他の枠体等を取付可能な構成にすることができ、中間の頭部３ｂでボルト軸部の高さ調整を行い、他の枠体等の位置決め調整を可能にする構造にすることも可能である。
【図面の簡単な説明】
【００２５】
【図１】本考案調整具の一実施例の分解斜視図。
【図２】その実施例の一使用態様を示す一部縦断概略断面図。
【図３】その実施例の他の使用態様を示す一部縦断概略断面図。
【図４】図３の使用態様を示す概略平面図。
【符号の説明】
【００２６】
１      支持部材
２      ナット部
２ａ    頂部
２ｂ    開口部
２ｃ    ねじ部
３      ボルト部
３ａ    ボルト軸部
４      中空筒部
４ａ    空間
４ｂ    底板部
５      補助ナット
１０    位置決め調整具
２０    コンクリート等
２１    表面
２２    充填材
３０    構造物
【図１】
0003118402.tif 000003
【図２】
0003118402.tif 000004
【図３】
0003118402.tif 000005
【図４】
0003118402.tif 000006